(57)【要約】      （修正有）【課題】ユーザに臨場感を与えること。【解決手段】本発明の携帯端末１によれば、大画面モードにおいて、第１表示装置１０と第２表示装置とが並べられ、第１表示装置１０と第２表示装置とに表示画面が表示される。大画面モードにおいて第１表示装置１０と第２表示装置とに表示される表示画面は、通常モードにおいて第１表示装置１０に表示される表示画面よりも大きい。このため、本発明の携帯端末１によれば、大画面モードにおいて、ユーザに臨場感を与えることができる。【選択図】  図１０
2004274276.tif 000002
【特許請求の範囲】
【請求項１】
筐体と、
前記筐体の第１部分に設けられ、取り外し可能な第１表示装置と、
前記筐体の前記第１部分以外の第２部分に設けられた第２表示装置と、
前記第２部分のいずれか１つの辺に設けられ、前記第１部分から取り外された前記第１表示装置を取り付けるための接続部と、
前記筐体に設けられた制御部とを具備し、
前記制御部は、
前記第１表示装置が前記第１部分に設けられているときに、表示画面が表示されるように前記第１表示装置を制御する第１表示制御部と、
前記取り外された第１表示装置が前記接続部に取り付けられているときに、前記取り付けられた第１表示装置と前記第２表示装置とを用いて前記表示画面が表示されるように前記取り付けられた第１表示装置と前記第２表示装置とを制御する第２表示制御部とを備えた
携帯端末。
【請求項２】
請求項１に記載された携帯端末において、
前記第２表示装置に設けられ、前記制御部を操作するための操作部を更に具備し、
前記第１表示制御部は、前記操作部が表示されるように前記第２表示装置を制御し、
前記第２表示制御部は、前記取り付けられた第１表示装置と前記第２表示装置とが前記表示画面を表示しているときに、ユーザが前記第２表示装置に触れた場合、前記操作部が表示されるように前記第２表示装置を制御する
携帯端末。
【請求項３】
請求項２に記載された携帯端末において、
前記第２表示制御部は、前記操作部が表示されてから所定時間が経過するまでにユーザが前記第２表示装置に触れない場合、前記表示画面が表示されるように前記取り付けられた第１表示装置と前記第２表示装置とを制御する
携帯端末。
【請求項４】
請求項１〜３のいずれか一項に記載された携帯端末において、
前記筐体は、
前記第１部分である第１筐体と、
前記第２部分である第２筐体と、
前記第１部分の一端部と前記第２部分の一端部とを接続する回転軸とを備え、
前記第２部分のいずれか１つの辺は、前記第２部分の前記回転軸に接続された辺以外の辺である
携帯端末。
【請求項５】
請求項４に記載された携帯端末において、
前記第１部分は、前記取り付けられた第１表示装置と前記第２表示装置とをユーザに向けるためのスタンドとして使われる
携帯端末。
【請求項６】
請求項１〜５のいずれか一項に記載された携帯端末において、
前記筐体に設けられ、ネットワークに接続された通信装置を更に具備し、
前記制御部は、
前記ネットワークからの受信情報が受信されるように前記通信装置を制御する通信制御部を更に備え、
前記第１表示制御部は、前記受信情報が前記表示画面として表示されるように前記第１表示装置を制御し、
前記第２表示制御部は、前記受信情報が前記表示画面として表示されるように前記取り付けられた第１表示装置と前記第２表示装置とを制御する
携帯端末。
【請求項７】
請求項６に記載された携帯端末において、
前記第１表示装置に設けられたカメラを更に具備し、
前記制御部は、
被写体が撮影され、前記撮影された被写体が前記通信装置に出力されるように前記カメラを制御するカメラ制御部を更に備え、
前記通信制御部は、前記撮影された被写体が相手先の端末に前記ネットワークを介して送信され、前記端末からの画像が前記受信情報として受信されるように前記通信装置を制御する
携帯端末。
【請求項８】
筐体と、
前記筐体に設けられ、ネットワークに接続された通信装置と、
前記筐体の第１部分に設けられ、取り外し可能な表示装置と、
前記筐体に設けられた制御部とを具備し、
前記制御部は、
前記ネットワークからの受信情報が受信されるように前記通信装置を制御する通信制御部と、
前記表示装置が前記第１部分に設けられているときに、前記受信情報が表示画面として表示されるように前記表示装置を制御する第１表示制御部と、
前記表示装置が前記第１部分から取り外されたときに、前記受信情報が前記表示画面としてワイヤレスで表示されるように前記取り外された表示装置を制御する第２表示制御部とを備えた
携帯端末。
【請求項９】
請求項８に記載された携帯端末において、
前記筐体は、
前記第１部分である第１筐体と、
前記筐体の前記第１部分以外の第２部分である第２筐体と、
前記第１部分の一端部と前記第２部分の一端部とを接続する回転軸とを備えた
携帯端末。
【請求項１０】
請求項８又は９に記載された携帯端末において、
前記表示装置は、
表示装置本体と、
本体取付部と、
前記表示装置本体の一端部と前記本体取付部の一端部とを接続する表示装置回転軸とを備えた
携帯端末。
【請求項１１】
請求項１０に記載された携帯端末において、
前記本体取付部は、前記表示装置本体をユーザに向けるためのスタンドとして使われる
携帯端末。
【請求項１２】
請求項８〜１１のいずれか一項に記載された携帯端末において、
前記表示装置に設けられたカメラを更に具備し、
前記制御部は、
被写体が撮影され、前記撮影された被写体が前記ワイヤレスで前記通信装置に出力されるように前記カメラを制御するカメラ制御部を更に備え、
前記通信制御部は、前記撮影された被写体が相手先の端末に前記ネットワークを介して送信され、前記端末からの画像が前記受信情報として受信されるように前記通信装置を制御する
携帯端末。
【請求項１３】
請求項８〜１２のいずれか一項に記載された携帯端末において、
前記ワイヤレスは、無線通信又は光通信で行われる
携帯端末。
【請求項１４】
請求項７又は１２に記載された携帯端末は、テレビ電話機として使われ、
前記端末はテレビ電話機であり、
前記通信装置が前記端末から前記受信情報を順次に受信したとき、前記受信情報は、ユーザによって動画として認識される
携帯端末。
【請求項１５】
請求項６に記載された携帯端末は、テレビとして使われ、
前記通信装置が前記ネットワークから前記受信情報を順次に受信したとき、前記受信情報は、ユーザによって動画として認識される
携帯端末。
【請求項１６】
請求項６に記載された携帯端末において、
前記受信情報は、Ｗｅｂページである
携帯端末。
【発明の詳細な説明】
【０００１】
【発明の属する技術分野】
本発明は、携帯電話機を含む携帯端末に関し、特に、表示画面を表示装置に表示する携帯端末に関する。
【０００２】
【従来の技術】
表示装置として第１表示装置と第２表示装置とを備えた携帯電話機が知られている（例えば、特許文献１参照）。特許文献１に記載された携帯電話機は、第１の表示／操作部（第１表示装置）と、第２の表示／操作部（第２表示装置）とが同一回転軸に回動可能に取り付けられて連結され、回転軸内にビデオカメラが設けられていることを特徴としている。
【０００３】
また、電話機本体と電話機本体から着脱可能な操作部とを備えた携帯電話機が知られている（例えば、特許文献２参照）。この操作部は、入力手段と表示手段と制御手段と電源手段と記憶手段とを備えている。特許文献２に記載された携帯電話機によれば、ユーザは、操作部を電話機本体から取り外し、電話機本体で電話しながら操作部でメモをとることができる。
【０００４】
【特許文献１】
特開平１１−６９２１４号公報
【特許文献２】
特開平６−２７６２６５号公報
【０００５】
【発明が解決しようとする課題】
本発明の目的は、ユーザに臨場感を与えることができる携帯端末を提供することにある。
本発明の他の目的は、ユーザに臨場感を与えることができ、且つ、より自然な画像で被写体を撮影することができる携帯端末を提供することにある。
【０００６】
【課題を解決するための手段】
以下に、［発明の実施の形態］で使用する番号・符号を用いて、課題を解決するための手段を説明する。これらの番号・符号は、［特許請求の範囲］の記載と［発明の実施の形態］の記載との対応関係を明らかにするために付加されたものであるが、［特許請求の範囲］に記載されている発明の技術的範囲の解釈に用いてはならない。
【０００７】
本発明の携帯端末（１）は、通常モードと、遠隔モードと、大画面モードとを実行する。まず、本発明の携帯端末（１）として通常モードと大画面モードとを実行する携帯端末を説明する。
【０００８】
本発明の携帯端末（１）は、筐体（４１、４２、４３）と、第１表示装置（１０）と、第２表示装置（２０）と、接続部（５１）と、制御部（９）とを具備する。第１表示装置（１０）は、筐体（４１、４２、４３）の第１部分（４１／６２）に設けられ、取り外し可能である。第２表示装置（２０）は、筐体（４１、４２、４３）の第１部分（４１／６２）以外の第２部分（４２／６１）に設けられている。接続部（５１）は、第２部分（４２／６１）のいずれか１つの辺に設けられている。接続部（５１）には、第１部分（４１／６２）から取り外された第１表示装置（１０）が取り付けられる。制御部（９）は、筐体（４１、４２、４３）に設けられている。
制御部（９）は、第１表示装置（１０）が第１部分（４１／６２）に設けられているときに、通常モードを実行する。制御部（９）は、第１部分（４１／６２）から取り外された第１表示装置（１０）が接続部（５１）に取り付けられているときに、大画面モードを実行する。この制御部（９）は、第１表示制御部（３４）と、第２表示制御部（３５）とを備えている。通常モードにおいて、第１表示制御部（３４）は、表示画面が表示されるように、第１表示装置（１０）を制御する。大画面モードにおいて、第２表示制御部（３５）は、接続部（５１）に取り付けられた第１表示装置（１０）と第２表示装置（２０）とを用いて表示画面が表示されるように、接続部（５１）に取り付けられた第１表示装置（１０）と第２表示装置（２０）とを制御する。
本発明の携帯端末（１）によれば、大画面モードにおいて、接続部（５１）に取り付けられた第１表示装置（１０）と第２表示装置（２０）とが並べられ、接続部（５１）に取り付けられた第１表示装置（１０）と第２表示装置（２０）とに表示画面が表示される。大画面モードにおいて接続部（５１）に取り付けられた第１表示装置（１０）と第２表示装置（２０）とに表示される表示画面は、通常モードにおいて第１表示装置（１０）に表示される表示画面よりも大きい。このため、本発明の携帯端末（１）によれば、大画面モードにおいて、ユーザに臨場感を与えることができる。
【０００９】
本発明の携帯端末（１）は、制御部（９）を操作するための操作部（２２）を更に具備する。操作部（２２）は、第２表示装置（２０）に設けられている。通常モードにおいて、第１表示制御部（３４）は、操作部（２２）が表示されるように、第２表示装置（２０）を制御する。大画面モードにおいて、第２表示制御部（３５）は、接続部（５１）に取り付けられた第１表示装置（１０）と第２表示装置（２０）とが表示画面を表示しているときに、ユーザが第２表示装置（２０）に触れた場合、操作部（２２）が表示されるように、第２表示装置（２０）を制御する。
本発明の携帯端末（１）によれば、大画面モードにおいて、接続部（５１）に取り付けられた第１表示装置（１０）と第２表示装置（２０）とに表示された表示画面を見ることができる上に、接続部（５１）に取り付けられた第１表示装置（１０）と第２表示装置（２０）とが表示画面を表示しているときに、ユーザは、一方の表示装置（１０／２０）に触れた場合、操作部（２２）を使用することができる。
この場合、大画面モードにおいて、第２表示制御部（３５）は、操作部（２２）が表示されてから所定時間が経過するまでにユーザが第２表示装置（２０）に触れない場合、表示画面が表示されるように、接続部（５１）に取り付けられた第１表示装置（１０）と第２表示装置（２０）とを制御することが好ましい。
【００１０】
本発明の携帯端末（１）が折り畳める場合、筐体（４１、４２、４３）は、第１部分（４１／６２）である第１筐体（４１）と、第２部分（４２／６１）である第２筐体（４２）と、第１部分（４１／６２）の一端部と第２部分（４２／６１）の一端部とを接続する開閉軸（４３）とを備えている。
第２筐体（４２）のいずれか１つの辺は、第２筐体（４２）の開閉軸（４３）に接続された辺以外の辺である。
【００１１】
本発明の携帯端末（１）が折り畳める場合、大画面モードにおいて、第１部分（４１／６２）は、接続部（５１）に取り付けられた第１表示装置（１０）と第２表示装置（２０）とをユーザに向けるためのスタンドとして使われる。これにより、本発明の携帯端末（１）によれば、大画面モードにおいて、ユーザは、第１部分（４１／６２）をスタンドとして使えば、携帯端末（１）を地面に寝かすことなく、携帯端末（１）を持たずに、接続部（５１）に取り付けられた第１表示装置（１０）と第２表示装置（２０）とに表示される表示画面を見ることができる。
【００１２】
本発明の携帯端末（１）は、通信装置（２）を更に具備する。通信装置（２）は、筐体（４１、４２、４３）に設けられ、ネットワーク（２００）に接続されている。制御部（９）は、通信制御部（３３）を更に備えている。通常モード、大画面モードにおいて、通信制御部（３３）は、ネットワーク（２００）からの受信情報が受信されるように、通信装置（２）を制御する。通常モードにおいて、第１表示制御部（３４）は、受信情報が表示画面として表示されるように、第１表示装置（１０）を制御する。大画面モードにおいて、第２表示制御部（３５）は、受信情報が表示画面として表示されるように、接続部（５１）に取り付けられた第１表示装置（１０）と第２表示装置（２０）とを制御する。
本発明の携帯端末（１）は、テレビとして使われる。この場合、通信装置（２）がネットワーク（２００）から受信情報（テレビジョン映像）を順次に受信したとき、接続部（５１）に取り付けられた第１表示装置（１０）と第２表示装置（２０）とに表示画面として表示される受信情報（テレビジョン映像）は、ユーザによって動画として認識される。テレビジョン映像には、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）が適用されている。本発明の携帯端末（１）によれば、大画面モードにおいて接続部（５１）に取り付けられた第１表示装置（１０）と第２表示装置（２０）とに表示されるテレビジョン映像は、通常モードにおいて第１表示装置（１０）に表示されるテレビジョン映像よりも大きい。このため、本発明の携帯端末（１）によれば、大画面モードにおいて、ユーザに臨場感を与えることができる。
接続部（５１）に取り付けられた第１表示装置（１０）と第２表示装置（２０）とに表示画面として表示される受信情報は、Ｗｅｂページである。本発明の携帯端末（１）によれば、大画面モードにおいて接続部（５１）に取り付けられた第１表示装置（１０）と第２表示装置（２０）とに表示されるＷｅｂページは、通常モードにおいて第１表示装置（１０）に表示されるＷｅｂページよりも大きい。このため、本発明の携帯端末（１）によれば、大画面モードにおいて、ユーザに臨場感を与えることができる。
【００１３】
本発明の携帯端末（１）は、第１表示装置（１０）に設けられたカメラ（１４）を更に具備する。制御部（９）は、カメラ制御部（３６）を更に備えている。大画面モードにおいて、カメラ制御部（３６）は、被写体が撮影され、撮影された被写体が通信装置（２）に出力されるようにカメラ（１４）を制御する。通信制御部（３３）は、カメラ（１４）により撮影された被写体が相手先の端末（１００）にネットワーク（２００）を介して送信され、相手先の端末（１００）からの画像（相手先画像）が受信情報として受信されるように、通信装置（２）を制御する。
本発明の携帯端末（１）は、テレビ電話機として使われる。この場合、相手先の端末（１００）はテレビ電話機である。通信装置（２）が相手先の端末（１００）から受信情報（相手先画像）を順次に受信したとき、接続部（５１）に取り付けられた第１表示装置（１０）と第２表示装置（２０）とに表示画面として表示される受信情報（相手先画像）は、ユーザによって動画として認識される。本発明の携帯端末（１）によれば、大画面モードにおいて接続部（５１）に取り付けられた第１表示装置（１０）と第２表示装置（２０）とに表示される相手先画像は、通常モードにおいて第１表示装置（１０）に表示される相手先画像よりも大きい。このため、本発明の携帯端末（１）によれば、大画面モードにおいて、ユーザに臨場感を与えることができる。
本発明の携帯端末（１）によれば、本発明の携帯端末（１）が折り畳める場合、大画面モードにおいて、ユーザは、第１部分（４１／６２）をスタンドとして携帯端末（１）を使うことができる。このため、本発明の携帯端末（１）によれば、大画面モードにおいて、ユーザに臨場感を与えることができ、且つ、より自然な画像で被写体（ユーザを含む）を撮影することができる。
【００１４】
次に、本発明の携帯端末（１）として通常モードと遠隔モードとを実行する携帯端末を説明する。
【００１５】
本発明の携帯端末（１）は、筐体（４１、４２、４３）と、通信装置（２）と、表示装置（１０）と、制御部（９）とを具備する。通信装置（２）は、筐体（４１、４２、４３）に設けられ、ネットワーク（２００）に接続されている。表示装置（１０）は、筐体（４１、４２、４３）の第１部分（４１／６２）に設けられ、取り外し可能である。制御部（９）は、筐体（４１、４２、４３）に設けられている。
制御部（９）は、表示装置（１０）が第１部分（４１／６２）に設けられているときに、通常モードを実行する。制御部（９）は、表示装置（１０）が第１部分（４１／６２）から取り外されたときに、遠隔モードを実行する。この制御部（９）は、通信制御部（３３）と、第１表示制御部（３４）と、第２表示制御部（３５）とを備えている。通常モード、遠隔モードにおいて、通信制御部（３３）は、ネットワーク（２００）からの受信情報が受信されるように、通信装置（２）を制御する。通常モードにおいて、第１表示制御部（３４）は、受信情報が表示画面として表示されるように表示装置（１０）を制御する。遠隔モードにおいて、第２表示制御部（３５）は、受信情報が表示画面としてワイヤレス（無線通信又は光通信）で表示されるように、第１部分（４１／６２）から取り外された表示装置（１０）を制御する。
表示装置（１０）が第１部分（４１／６２）から取り外されたとき、携帯端末（１）の表示装置（１０）以外の構成である携帯端末本体と、第１部分（４１／６２）から取り外された表示装置（１０）とに分けられる。本発明の携帯端末（１）によれば、遠隔モードにおいて、携帯端末本体を使用しながら、ネットワーク（２００）からの受信情報を表示画面として見ることができる。このため、本発明の携帯端末（１）によれば、遠隔モードにおいて、ユーザに臨場感を与えることができる。
【００１６】
本発明の携帯端末（１）が折り畳める場合、筐体（４１、４２、４３）は、第１部分（４１／６２）である第１筐体（４１）と、筐体（４１、４２、４３）の第１部分（４１／６２）以外の第２部分（４２／６１）である第２筐体（４２）と、第１筐体（４１）の一端部と第２筐体（４２）の一端部とを接続する開閉軸（４３）とを備えている。
【００１７】
表示装置（１０）は、表示装置本体（５２）と、本体取付部（５３）と、表示装置本体（５２）の一端部と本体取付部（５３）の一端部とを接続する表示装置開閉軸（１３）とを備えている。
遠隔モードにおいて、本体取付部（５３）は、表示装置本体（５２）をユーザに向けるためのスタンドとして使われる。これにより、本発明の携帯端末（１）によれば、遠隔モードにおいて、ユーザは、本体取付部（５３）をスタンドとして使えば、表示装置（１０）を地面に寝かすことなく、表示装置（１０）を持たずに、第１部分（４１／６２）から取り外された表示装置（１０）に表示される表示画面を見ることができる。
【００１８】
本発明の携帯端末（１）は、表示装置（１０）に設けられたカメラ（１４）を更に具備する。制御部（９）は、カメラ制御部（３６）を更に備えている。遠隔モードにおいて、カメラ制御部（３６）は、被写体が撮影され、撮影された被写体がワイヤレス（無線通信又は光通信）で通信装置（２）に出力されるようにカメラ（１４）を制御する。通信制御部（３３）は、カメラ（１４）により撮影された被写体が相手先の端末（１００）にネットワーク（２００）を介して送信され、相手先の端末（１００）からの画像が受信情報（相手先画像）として受信されるように通信装置（２）を制御する。
本発明の携帯端末（１）は、テレビ電話機として使われる。この場合、相手先の端末（１００）はテレビ電話機である。通信装置（２）が相手先の端末（１００）から受信情報（相手先画像）を順次に受信したとき、第１部分（４１／６２）から取り外された表示装置（１０）に表示画面として表示される受信情報（相手先画像）は、ユーザによって動画として認識される。本発明の携帯端末（１）によれば、遠隔モードにおいて、携帯端末本体を使用しながら、ネットワーク（２００）からの受信情報（相手先画像）を表示画面として見ることができる。このため、本発明の携帯端末（１）は、ユーザに臨場感を与えることができる。
本発明の携帯端末（１）によれば、遠隔モードにおいて、ユーザは、本体取付部（５３）をスタンドとして携帯端末（１）を使うことができる。このため、本発明の携帯端末（１）によれば、遠隔モードにおいて、ユーザに臨場感を与えることができ、且つ、より自然な画像で被写体（ユーザを含む）を撮影することができる。
【００１９】
【発明の実施の形態】
添付図面を参照して、本発明による携帯端末の実施の形態を以下に説明する。本発明の携帯端末としては、携帯電話機を折り畳むことができる折り畳み型携帯電話機、携帯電話機を折り畳まないストレート型携帯電話機が例示される。本発明の携帯端末として、折り畳み型携帯電話機を第１実施形態にて説明し、ストレート型携帯電話機を第２実施形態にて説明する。
【００２０】
（第１実施形態）
本発明の第１実施形態に係る携帯電話機１は、図１に示されるようなシステムに適用される。携帯電話機１は、ネットワーク２００に接続されている。ネットワーク２００には、携帯電話機１と通信を行うための端末１００が接続されている。
【００２１】
図２は、本発明の第１実施形態に係る携帯電話機１の構成を示すブロック図である。携帯電話機１は、アンテナが設けられた通信装置２、送話部３、受話部４、サウンダ５、電池８、制御部９、表示装置１０を具備する。制御部９には、通信装置２、送話部３、受話部４、サウンダ５、電池８、表示装置用インタフェース６、表示装置用通信部７が接続されている。
【００２２】
携帯電話機１が電話に利用される場合、端末１００は、相手先の電話機である。
ユーザが電話をかけるとき、制御部９は、ユーザが行う携帯電話機１の操作により、ユーザ通話要求を表すベースバンド信号を通信装置２に出力する。通信装置２は、制御部９からのベースバンド信号（ユーザ通話要求）を送信／発信するための無線信号に変換し、その無線信号（ユーザ通話要求）を端末１００（相手先の電話機）にネットワーク２００を介して送信／発信する。携帯電話機１から送信された無線信号（ユーザ通話要求）は、端末１００（相手先の電話機）が携帯電話機である場合、電話交換機、基地局によってネットワーク２００を介して端末１００（相手先の電話機）に送信され、端末１００（相手先の電話機）が有線用の電話機である場合、電話交換機によって有線信号（ユーザ通話要求）に変換されてネットワーク２００を介して端末１００（相手先の電話機）に送信される。
【００２３】
相手先が電話に出た場合、携帯電話機１は、通話処理を行う。
送話部３は、ユーザの音声を入力し、制御部９に出力する。制御部９は、送話部３からのユーザの音声を表すユーザ音声信号（ベースバンド信号）に変換し、そのベースバンド信号（ユーザ音声信号）を通信装置２に出力する。通信装置２は、制御部９からのベースバンド信号（ユーザ音声信号）を送信するための無線信号（ユーザ音声信号）に変換し、その無線信号を端末１００（相手先の電話機）にネットワーク２００を介して送信する。
通信装置２は、端末１００（相手先の電話機）からの無線信号（相手先の音声を表す相手先音声信号）をベースバンド信号（相手先音声信号）に変換し、ベースバンド信号（相手先音声信号）を制御部９に出力する。制御部９は、ベースバンド信号（相手先音声信号）を受話部４が出力するための音声に変換する。受話部４は、相手先の音声を出力する。
この通話処理は、相手先又はユーザが電話を切るまで行われる。
【００２４】
相手先が端末１００（相手先の電話機）を用いて携帯電話機１に電話をかけたとき、通信装置２は、端末１００（相手先の電話機）からの無線信号（相手先通話要求）を受信してベースバンド信号（相手先通話要求）に変換し、そのベースバンド信号を制御部９に出力する。制御部９は、通信装置２からのベースバンド信号（相手先通話要求）を収集することにより着信であることを認識する。制御部９は、相手先から電話がある旨を表示装置１０に表示し、サウンダ５で音を出すことによりユーザに着信を知らせる。
ユーザが携帯電話機１を操作して電話に出た場合、携帯電話機１は、通話処理を行う。この通話処理は、相手先又はユーザが電話を切るまで行われる。
【００２５】
携帯電話機１は、表示装置用インタフェース６、表示装置用通信部７を更に具備する。表示装置用インタフェース６、表示装置用通信部７は、制御部９に接続されている。
【００２６】
図３は、本発明の第１実施形態に係る携帯電話機１における表示装置１０の構成を示すブロック図である。表示装置１０は、表示パネル１１、表示用電池１２、カメラ部１３、表示装置用インタフェース１６、表示装置用通信部１７を備えている。カメラ部１３は、レンズを有するカメラ１４、カメラ用通信部１５を備えている。
【００２７】
図４は、本発明の第１実施形態に係る携帯電話機１における表示装置２０の構成を示すブロック図である。表示装置２０は、タッチパネル２１を備えている。タッチパネル２１には、ユーザが携帯電話機１（制御部９）を操作するための操作部２２が設けられている。
【００２８】
図５（ａ）は、本発明の第１実施形態に係る携帯電話機１が開かれたときの、本発明の第１実施形態に係る携帯電話機１を表す正面図であり、図５（ｂ）は、図５（ａ）をＡ方向から見た側面図である。ここで、第１面は、図５（ａ）に示され、携帯電話機１の正面を表す。第２面は、携帯電話機１の背面を表す。
【００２９】
携帯電話機１は、筐体を更に具備する。この筐体は、筐体の第１部分である第１筐体４１と、筐体の第１部分以外の第２部分である第２筐体４２と、第１筐体４１の一端部と第２筐体４２の一端部とを接続する開閉軸４３とを備えている。開閉軸４３は、第２筐体４２（第１筐体４１）に対して第１筐体４１（第２筐体４２）を０度から３６０度まで回転可能にする。開閉軸４３は、第１筐体４１と第２筐体４２との角度を所定の角度ｘに保持する。開閉軸４３が保持する所定の角度ｘは、０≦ｘ≦３６０により表される。
開閉軸４３は、第１筐体４１を回転可能にする第１回転軸４４と、第２筐体４２を回転可能にする第２回転軸４５とを備えている。第１回転軸４４は、第１筐体４１の開閉軸４３に接続された辺の両端部に設けられている。第２回転軸４５は、第２筐体４２の開閉軸４３に接続された辺の両端部に設けられている。
【００３０】
第１筐体４１には、第１取付部４６が設けられている。第１取付部４６の第１面には、貫通しない穴が設けられ、その穴には、上記の受話部４が設けられている。図示しないが、第１取付部４６には、通信装置２、表示装置用通信部７が設けられている。
第１筐体４１には、第１筐体４１の開閉軸４３に接続された辺の中央部から、第１取付部４６の一端部にまで、第１筐体４１の開閉軸４３に接続された辺に対して垂直方向に延びる、貫通した穴が設けられている。第１筐体４１には、第１取付部４６の一端部から、第１筐体４１の開閉軸４３に接続された辺に対して垂直方向に延びる突起状の第１接続部４７が２つ設けられている。貫通した穴は、第１取付部４６の一端部と第１接続部４７とによって形成される。上記の表示装置１０は、第１接続部４７から取り外し可能である。表示装置１０の互いに交わらない辺には、第１接続部４７と接合するための溝５５が設けられている。
【００３１】
表示装置１０には、表示装置１０の第１面である表示装置本体５２と、表示装置１０の第２面である本体取付部５３とが設けられている。表示装置本体５３には、表示装置１０の表示パネル１１が設けられている。
図示しないが、表示装置本体５３には、表示装置１０の表示用電池１２、表示装置用通信部１７が設けられている。表示装置１０の溝５５は、表示装置本体５２と本体取付部５３とにより形成され、表示装置１０の溝５５になる部分は、表示装置本体５２に設けられている。表示装置１０の溝５５になる部分には、表示装置１０の表示装置用インタフェース１６が設けられている。
表示装置１０には、表示装置１０のカメラ部１３が設けられている。カメラ部１３は、表示パネル１１とタッチパネル２１との間に設けられている。カメラ部１３には、第２取付部４８が設けられている。第２取付部４８には、カメラ部１３のカメラ１４が設けられている。カメラ１４は、第１筐体４１の開閉軸４３に接続された辺を軸線として、回転可能である。図示しないが、カメラ部１３には、カメラ部１３のカメラ用通信部１５が設けられている。
【００３２】
第２筐体４２には、第３取付部４９が設けられている。第３取付部４９の第１面には、貫通しない穴が設けられ、その穴には、上記の送話部３が設けられている。
第２筐体４２には、第４取付部５０が第３取付部４９と開閉軸４３との間に設けられている。図示しないが、第４取付部５０には、上記のサウンダ５、電池８、制御部９、表示装置２０が設けられている。第４取付部５０の第１面には、表示装置２０のタッチパネル２１が設けられている。タッチパネル２１には、操作部２２が表示される。
【００３３】
第２筐体４２の開閉軸４３に接続された辺に交わる辺には、第３取付部４９の一端部から、第２筐体４２の開閉軸４３に接続された辺にまで、第２筐体４２の開閉軸４３に接続された辺に対して垂直方向に延びる突起状の第２接続部５１が設けられている。図示しないが、第２接続部５１には、表示装置用インタフェース６が設けられている。
【００３４】
電池８は、図示しない携帯電話機１用の充電器に接続されたときに、その充電器からの電源を充電する。電池８は、制御部９と、制御部９を介して通信装置２、送話部３、受話部４、サウンダ５、表示装置用インタフェース６、表示装置用通信部７とに電源を供給する。
表示装置１０が第１筐体４１の第１接続部４７に取り付けられているとき、電池８から供給された電源は、制御部９を介して、表示装置１０の表示パネル１１、表示用電池１２、カメラ部１３、表示装置用インタフェース１６、表示装置用通信部１７に供給される。このとき、表示用電池１２は、電池８から制御部９を介して供給された電源を蓄積する。
表示装置１０が第１筐体４１の第１接続部４７から取り外されたとき（後述する図６、図７参照）、表示パネル１１、カメラ部１３、表示装置用インタフェース１６、表示装置用通信部１７には、表示用電池１２に蓄積された電源が供給される。このとき、第１接続部４７から取り外された表示装置１０の表示装置用通信部１７と、第１筐体４１の表示装置用通信部７とは、無線通信又は光通信を行う。第１接続部４７から取り外された表示装置１０のカメラ部１３のカメラ用通信部１５と、第１筐体４１の通信装置２とは、無線通信又は光通信を行う。光通信としては、赤外線を利用した通信技術が例示される。
第１筐体４１の第１接続部４７から取り外された表示装置１０が第２筐体４２の第２接続部５１に取り付けられたとき（後述する図１０参照）、電池８から供給される電源は、表示装置用インタフェース６を介して、表示装置用インタフェース１６に供給される。表示装置用インタフェース１６に供給された電源は、表示パネル１１、表示用電池１２、カメラ部１３、表示装置用通信部１７に供給される。このとき、表示用電池１２は、表示装置用インタフェース１６から供給された電源を蓄積する。
【００３５】
図６（ａ）は、本発明の第１実施形態に係る携帯電話機１が閉じられたときの、本発明の第１実施形態に係る携帯電話機１を表す背面図であり、図６（ｂ）は、図６（ａ）をＢ方向から見た側面図である。ここで、第１筐体４１の第２面は、図６（ａ）に示される。
ユーザは、表示装置１０を第１筐体４１に取り付ける場合、表示装置１０の溝５５と第１接続部４７とを接合させる。表示装置１０の溝５５と第１接続部４７とを接合させるとき、ユーザは、携帯電話機１が閉じられた状態で、開閉軸４３から第１取付部４６に向かう方向に表示装置１０を第１接続部４７に沿ってスライドさせる。図示しないが、第１接続部４７には、第１接続部４７に取り付けられた表示装置１０を固定するためのストッパーが設けられている。
【００３６】
図７（ａ）は、本発明の第１実施形態に係る携帯電話機１が閉じられたときに表示装置１０が取り外された場合の、本発明の第１実施形態に係る携帯電話機１を表す背面図であり、図７（ｂ）は、図７（ａ）をＢ方向から見た側面図である。ここで、第１筐体４１の第１接続部４７から表示装置１０が取り外されたときに、表示装置１０が第１接続部４７から取り外された第１筐体４１の第２面と、第２筐体４２の第１面に設けられたタッチパネル２１とは、図７（ａ）に示される。
ユーザは、表示装置１０を第１筐体４１（第１接続部４７）から取り外す場合、携帯電話機１が閉じられた状態で、第１取付部４６から開閉軸４３に向かう方向に表示装置１０を第１接続部４７に沿ってスライドさせる。このとき、第１接続部４７のストッパーは解除される。
【００３７】
図８（ａ）は、本発明の第１実施形態に係る携帯電話機１における表示装置１０を表す背面図であり、図８（ｂ）、（ｃ）は、図８（ａ）をＢ方向から見た側面図である。ここで、第１筐体４１の第１接続部４７から取り外された表示装置１０の第２面は、図８（ａ）に示される。図８（ｃ）に示されるように、表示装置１０のカメラ部１３は、表示装置本体５２の一端部と本体取付部５３の一端部とを接続する開閉軸である。カメラ部１３は、表示装置本体５２（本体取付部５３）に対して本体取付部５３（表示装置本体５２）を０度から１８０度まで回転可能にする。カメラ部１３は、表示装置本体５２と本体取付部５３との角度を所定の角度ｙに保持する。カメラ部１３が保持する所定の角度ｙは、０≦ｙ≦１８０により表される。図示しないが、この本体取付部５３には、本体取付部５３を表示装置本体５２に固定するためのストッパーが設けられている。このストッパーは、本体取付部５３をユーザがＣ方向に引っ張ったときに解除される。
【００３８】
ユーザは、第１接続部４７から取り外された表示装置１０を開くときに、表示装置本体５２と本体取付部５３との角度が０度よりも大きく１８０度よりも小さくなるように、表示装置本体５２に対して本体取付部５３を回転させることが好ましい。
ユーザは、表示装置本体５２と本体取付部５３とを回転させて、表示装置本体５２のカメラ部１３（開閉軸）に接続された辺に交わらない辺に対応する部分と、本体取付部５３のカメラ部１３（開閉軸）に接続された辺に交わらない辺に対応する部分とを、ユーザにより決められた場所に置く。このとき、本体取付部５３は、表示パネル１１をユーザに向けるためのスタンドとして使われる。これにより、線Ｌを地面とした場合、ユーザは、表示装置１０を地面に寝かすことなく、表示装置１０を持たずに、表示パネル１１に表示される表示画面を見ることができる。
なお、ユーザは、表示装置本体５２と本体取付部５３とをユーザが回転させて、本体取付部５３を、ユーザにより決められた場所に置いたときでも、本体取付部５３は、表示パネル１１をユーザに向けるためのスタンドとして使われる。
【００３９】
図９（ａ）は、本発明の第１実施形態に係る携帯電話機１における表示装置１０が第１筐体４１の第１接続部４７から取り外されたときの、本発明の第１実施形態に係る携帯電話機１を表す正面図であり、図９（ｂ）は、図９（ａ）をＡ方向から見た側面図である。ここで、表示装置１０が第１接続部４７から取り外された第１筐体４１の第１面と、第２筐体４２の第１面とは、図９（ａ）に示される。第１筐体４１に設けられた表示装置１０が第１筐体４１の第１接続部４７から取り外された場合、ユーザは、上記の貫通した穴として、貫通した穴５４を認識することができる。
【００４０】
図１０（ａ）は、本発明の第１実施形態に係る携帯電話機１における表示装置１０が第２筐体４２の第２接続部５１に取り付けられたときの、本発明の第１実施形態に係る携帯電話機１を表す正面図であり、図１０（ｂ）は、図１０（ａ）をＤ方向から見た側面図である。ここで、表示装置１０が第１接続部４７から取り外された第１筐体４１の第１面と、第２接続部５１に表示装置１０が取り付けられた第２筐体４２の第１面とは、図１０（ａ）に示される。
ユーザは、第１筐体４１の第１接続部４７から取り外された表示装置１０を第２筐体４２に取り付ける場合、第１接続部４７から取り外された表示装置１０の溝５５と第２接続部５１とを接合させる。第１接続部４７から取り外された表示装置１０の溝５５と第２接続部５１とを接合させるとき、ユーザは、第１接続部４７から取り外された表示装置１０を第２接続部５１に対して垂直な方向に移動させながら、第１接続部４７から取り外された表示装置１０を押し込む。第１接続部４７から取り外された表示装置１０の溝５５と第２接続部５１とが接合されたとき、表示パネル１１とタッチパネル２１とが同一平面上に並べられ、カメラ部１３と開閉軸４３とが同一平面上に並べられる。図示しないが、第２接続部５１には、第２接続部５１に取り付けられた表示装置１０を固定するためのストッパーが設けられている。第１接続部４７から取り外された表示装置１０が第２接続部５１に取り付けられたとき、第２筐体４２の表示装置用インタフェース６と表示装置用インタフェース１６とが接続される。
ユーザは、第２接続部５１に取り付けられた表示装置１０を第２筐体４２（第２接続部５１）から取り外す場合、第１接続部４７から取り外された表示装置１０を押し込んだときの方向とは逆の方向に移動させながら、第２接続部５１に取り付けられた表示装置１０を引っ張る。このとき、第２接続部５１のストッパーは解除される。
【００４１】
ユーザは、第１筐体４１の第１接続部４７から取り外された表示装置１０を第２筐体４２に取り付けた場合、その第１筐体４１の第１面とその第２筐体４２の第１面との角度が１８０度よりも大きく３６０度よりも小さくなるように、その第２筐体４２に対してその第１筐体４１を回転させることが好ましい。
ユーザは、その第１筐体４１とその第２筐体４２とをユーザが回転させて、その第１筐体４１の開閉軸４３に接続された辺に交わらない辺に対応する部分と、その第２筐体４２の開閉軸４３に接続された辺に交わらない辺に対応する部分とを、ユーザにより決められた場所に置く。このとき、その第１筐体４１は、表示パネル１１とタッチパネル２１とをユーザに向けるためのスタンドとして使われる。これにより、ユーザは、携帯電話機１を地面に寝かすことなく、携帯電話機１を持たずに、表示パネル１１とタッチパネル２１とに表示される表示画面を見ることができる。
なお、ユーザがその第１筐体４１とその第２筐体４２とを回転させて、その第１筐体４１を、ユーザにより決められた場所に置いたときでも、その第１筐体４１は、表示パネル１１とタッチパネル２１とをユーザに向けるためのスタンドとして使われる。
【００４２】
端末１００としては、相手先の電話機の他に、Ｗｅｂサイト、テレビ放送局の端末が挙げられる。相手先の電話機には、相手先の携帯電話機、相手先のテレビ電話機が含まれる。携帯電話機１が動作する動作モードとしては、通話モードと、Ｗｅｂモードと、テレビモードとが挙げられる。通話モードは、電話モードと、テレビ電話モードとを含む。
電話モードは、ユーザが携帯電話機１を用いて電話するときに実行されるモードである。電話モードには、ユーザと相手先との通話が可能な上述の通話処理が含まれる。電話モードである場合、端末１００は、相手先の電話機（相手先の携帯電話機を含む）である。
テレビ電話モードは、ユーザが携帯電話機１を用いてテレビ電話を利用するときに実行されるモードである。テレビ電話モードには、上述の通話処理が含まれる。テレビ電話モードである場合、端末１００は、相手先のテレビ電話機（相手先が携帯電話機１を利用している場合、相手先の携帯電話機を含む）である。
Ｗｅｂモードは、ユーザが携帯電話機１を用いてインターネットを利用するときに実行されるモードである。Ｗｅｂモードである場合、端末１００は、Ｗｅｂサイトである。
テレビモードは、ユーザが携帯電話機１を用いてテレビ観戦するときに実行されるモードである。テレビモードである場合、端末１００は、テレビ放送局の端末である。
【００４３】
携帯電話機１に設定される設定モードとしては、通常モードと、遠隔モードと、大画面モードとが挙げられる。
通常モードは、表示装置１０が第１接続部４７に取り付けられているときに実行されるモードである。
遠隔モードは、表示装置１０が第１接続部４７から取り外されたときに実行されるモードである。
大画面モードは、第１接続部４７から取り外された表示装置１０が第２接続部５１に取り付けられたときに実行されるモードである。この大画面モードでは、第２接続部５１に取り付けられた表示装置１０の表示装置用インタフェース１６と、表示装置用インタフェース６とが接続されている。
【００４４】
図１１は、本発明の第１実施形態に係る携帯電話機１における制御部９の構成を示すブロック図である。制御部９は、ＣＰＵ３０、メモリ３１を備えている。メモリ３１には、ＣＰＵ３０が実行するためのコンピュータプログラムである操作制御部３２、通信制御部３３、第１表示制御部３４、第２表示制御部３５、カメラ制御部３６が格納されている。メモリ３１には、コンピュータプログラム（を実行するＣＰＵ３０）が参照するためのテーブル３７が更に格納されている。
【００４５】
図１２は、本発明の第１実施形態に係る携帯電話機１におけるテーブル３７に格納された情報を示す。テーブル３７には、動作モード欄と、設定モード欄とが対応付けられて格納されている。
動作モード欄は、通話モードを表す通話モード欄と、Ｗｅｂモードを表すＷｅｂモード欄と、テレビモードを表すテレビモード欄とを含む。通話モード欄は、電話モードを表す電話モード欄と、テレビ電話モードを表すテレビ電話モード欄とを含む。
設定モード欄は、通常モードを表す通常モード欄と、遠隔モードを表す遠隔モード欄と、大画面モードを表す大画面モード欄とを含む。
【００４６】
図１３は、本発明の第１実施形態に係る携帯電話機１の動作を示すフローチャートである。
ＣＰＵ３０が実行するコンピュータプログラムは、各動作モードのいずれか１つの動作モード（対象動作モードと称する）と各設定モードのいずれか１つの設定モード（対象設定モードと称する）とを設定する（ステップＳ１）。コンピュータプログラムである操作制御部３２は、テーブル３７の各欄のうち、対象動作モードを表す動作モード欄と対象設定モードを表す設定モード欄とが対応する欄に、対象動作モードと対象設定モードとを実行するための実行命令“１”を書き込む。このとき、操作制御部３２は、テーブル３７の実行命令“１”が書き込まれた欄以外の欄に、非実行命令“０”を書き込む。
ＣＰＵ３０が実行するコンピュータプログラム（操作制御部３２、通信制御部３３、第１表示制御部３４、第２表示制御部３５、カメラ制御部３６）は、設定された対象動作モードと対象設定モードとを実行する（ステップＳ２）。
【００４７】
次に、ステップＳ１にて、操作制御部３２が対象設定モードを認識（検出）するときの動作について説明する。
操作制御部３２は、表示装置１０が第１接続部４７に取り付けられているときに、操作制御部３２は、通常モードを認識する。
表示装置１０が第１接続部４７から取り外されたときに、操作制御部３２は、遠隔モードを認識する。
第１接続部４７から取り外された表示装置１０が第２接続部５１に取り付けられたときに（第２接続部５１に取り付けられた表示装置１０の表示装置用インタフェース１６と、表示装置用インタフェース６とが接続されているときに）、操作制御部３２は、大画面モードを認識する。
【００４８】
次に、ステップＳ１にて、コンピュータプログラム（操作制御部３２）が電話モードと通常モードとを対象動作モードと対象設定モードとして設定するときの動作について、詳細に説明する。
操作制御部３２が通常モードを認識し、且つ、ユーザがタッチパネル２１（操作部２２）を操作してＷｅｂモード、テレビモードに設定しない場合、操作制御部３２は、テーブル３７の電話モード欄と通常モード欄とが対応する欄に“１”を書き込み（電話モードと通常モードとを設定する）、テーブル３７の“１”が書き込まれた欄以外の欄に“０”を書き込む。コンピュータプログラム（操作制御部３２、通信制御部３３、第１表示制御部３４）は、テーブル３７を参照して、テーブル３７の電話モード欄と通常モード欄とが対応する欄に“１”が書き込まれている場合、ステップＳ２にて電話モードと通常モードとを実行する（後述）。
【００４９】
次に、ステップＳ１にて、コンピュータプログラム（操作制御部３２）がＷｅｂモードとテレビモードとの一方のモードと通常モードとを対象動作モードと対象設定モードとして設定するときの動作について、詳細に説明する。一方のモードをＷｅｂモード（テレビモード）と表記する。
ステップＳ１にて、操作制御部３２が通常モードを認識し、且つ、ユーザがタッチパネル２１（操作部２２）を操作してＷｅｂモード（テレビモード）に設定する場合、操作制御部３２は、テーブル３７のＷｅｂモード欄（テレビモード欄）と通常モード欄とが対応する欄に“１”を書き込み｛Ｗｅｂモード（テレビモード）と通常モードとを設定する｝、テーブル３７の“１”が書き込まれた欄以外の欄に“０”を書き込む。コンピュータプログラム（操作制御部３２、通信制御部３３、第１表示制御部３４）は、テーブル３７を参照して、テーブル３７のＷｅｂモード欄（テレビモード欄）と通常モード欄とが対応する欄に“１”が書き込まれている場合、ステップＳ２にてＷｅｂモード（テレビモード）と通常モードとを実行する（後述）。
ステップＳ２にてＷｅｂモード（テレビモード）の実行を終了した場合、操作制御部３２は、テーブル３７の電話モード欄と通常モード欄とが対応する欄に“１”を書き込み（電話モードと通常モードとを設定する）、テーブル３７の“１”が書き込まれた欄以外の欄に“０”を書き込む。
【００５０】
次に、ステップＳ１にて、コンピュータプログラム（操作制御部３２）がテレビ電話モードと遠隔モードとを対象動作モードと対象設定モードとして設定するときの動作について、詳細に説明する。
操作制御部３２が遠隔モードを認識した場合、操作制御部３２は、テーブル３７のテレビ電話モード欄と遠隔モード欄とが対応する欄に“１”を書き込み（テレビ電話モードと遠隔モードとを設定する）、テーブル３７の“１”が書き込まれた欄以外の欄に“０”を書き込む。コンピュータプログラム（操作制御部３２、通信制御部３３、第１表示制御部３４、第２表示制御部３５、カメラ制御部３６）は、テーブル３７を参照して、テーブル３７のテレビ電話モード欄と遠隔モード欄とが対応する欄に“１”が書き込まれている場合、ステップＳ２にてテレビ電話モードと遠隔モードとを実行する（後述）。
【００５１】
次に、ステップＳ１にて、コンピュータプログラム（操作制御部３２）がテレビ電話モードと大画面モードとを対象動作モードと対象設定モードとして設定するときの動作について、詳細に説明する。
操作制御部３２が大画面モードを認識し、且つ、ユーザがタッチパネル２１（操作部２２）を操作してＷｅｂモード、テレビモードに設定しない場合、操作制御部３２は、テーブル３７のテレビ電話モード欄と大画面モード欄とが対応する欄に“１”を書き込み（テレビ電話モードと大画面モードとを設定する）、テーブル３７の“１”が書き込まれた欄以外の欄に“０”を書き込む。コンピュータプログラム（操作制御部３２、通信制御部３３、第２表示制御部３５、カメラ制御部３６）は、テーブル３７を参照して、テーブル３７のテレビ電話モード欄と大画面モード欄とが対応する欄に“１”が書き込まれている場合、ステップＳ２にてテレビ電話モードと大画面モードとを実行する（後述）。
【００５２】
次に、ステップＳ１にて、コンピュータプログラム（操作制御部３２）がＷｅｂモードとテレビモードとの一方のモードと大画面モードとを対象動作モードと対象設定モードとして設定するときの動作について、詳細に説明する。一方のモードをＷｅｂモード（テレビモード）と表記する。
操作制御部３２が大画面モードを認識し、且つ、ユーザがタッチパネル２１（操作部２２）を操作してＷｅｂモード（テレビモード）に設定する場合、操作制御部３２は、テーブル３７のＷｅｂモード欄（テレビモード欄）と大画面モード欄とが対応する欄に“１”を書き込み｛Ｗｅｂモード（テレビモード）と大画面モードとを設定する｝、テーブル３７の“１”が書き込まれた欄以外の欄に“０”を書き込む。コンピュータプログラム（操作制御部３２、通信制御部３３、第２表示制御部３５、カメラ制御部３６）は、テーブル３７を参照して、テーブル３７のＷｅｂモード欄（テレビモード欄）と大画面モード欄とが対応する欄に“１”が書き込まれている場合、ステップＳ２にてＷｅｂモード（テレビモード）と大画面モードとを実行する（後述）。
ステップＳ２にてＷｅｂモード（テレビモード）の実行を終了した場合、操作制御部３２は、テーブル３７のテレビ電話モード欄と大画面モード欄とが対応する欄に“１”を書き込み（テレビ電話モードと大画面モードとを設定する）、テーブル３７の“１”が書き込まれた欄以外の欄に“０”を書き込む。
【００５３】
次に、ステップＳ２にて、コンピュータプログラム（通信制御部３３）が電話モードを実行するときの動作について、詳細に説明する。
電話モードを実行する場合、通信制御部３３は、上述のユーザ通話要求、上述の通話処理におけるユーザ音声信号が端末１００（相手先の電話機）にネットワーク２００を介して送信され、端末１００（相手先の電話機）からの上述の相手先通話要求、上述の通話処理における相手先音声信号が受信されるように、通信装置２を制御する。
【００５４】
次に、ステップＳ２にて、コンピュータプログラム（通信制御部３３、カメラ制御部３６）がテレビ電話モードを実行するときの動作について、詳細に説明する。
テレビ電話モードを実行する場合、カメラ制御部３６は、被写体が撮影されるようにカメラ１４を制御し、カメラ１４により撮影された被写体（を表す画像）が通信装置２に出力されるようにカメラ用通信部１５を制御する。通信制御部３３は、送信情報（カメラ１４により撮影された被写体）、上述のユーザ通話要求、上述の通話処理におけるユーザ音声信号が端末１００（相手先のテレビ電話機）にネットワーク２００を介して送信され、端末１００（相手先のテレビ電話機）からの受信情報（相手先画像）、上述の相手先通話要求、上述の通話処理における相手先音声信号が受信されるように、通信装置２を制御する。相手先画像は、端末１００（相手先のテレビ電話機）からの画像を表す。
【００５５】
次に、ステップＳ２にて、コンピュータプログラム（通信制御部３３）がＷｅｂモードを実行するときの動作について、詳細に説明する。
Ｗｅｂモードを実行する場合、通信制御部３３は、Ｗｅｂサイト接続要求が端末１００（Ｗｅｂサイト）にネットワーク２００を介して送信され、Ｗｅｂサイト接続要求に応じて端末１００（Ｗｅｂサイト）から送信された受信情報（Ｗｅｂページ）が受信されるように、通信装置２を制御する。
【００５６】
次に、ステップＳ２にて、コンピュータプログラム（通信制御部３３）がテレビモードを実行するときの動作について、詳細に説明する。
テレビモードを実行する場合、通信制御部３３は、端末１００（テレビ放送局の端末）からの受信情報（テレビジョン映像）が受信されるように、通信装置２を制御する。テレビジョン映像には、ＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）が適用されている。
【００５７】
次に、ステップＳ２にて、コンピュータプログラム（第１表示制御部３４）が通常モードを実行するときの動作について、詳細に説明する。
【００５８】
上述したＷｅｂモード、上述したテレビモードのいずれか１つのモードと、通常モードとを同時に実行する場合、通常モードにおいて、第１表示制御部３４は、操作部２２がタッチパネル２１に表示されるように、表示装置２０を制御する。第１表示制御部３４は、上記の受信情報が表示画面として表示パネル１１に表示されるように表示装置１０を制御する。
【００５９】
上述したテレビモードと通常モードとを同時に実行しているときに、通信装置２が端末１００（テレビ放送局の端末）から受信情報（テレビジョン映像）を順次に受信した場合、表示パネル１１に表示画面として表示される受信情報（テレビジョン映像）は、ユーザによって動画として認識される。
【００６０】
次に、ステップＳ２にて、コンピュータプログラム（第１表示制御部３４、第２表示制御部３５）が遠隔モードを実行するときの動作について、詳細に説明する。
【００６１】
上述したテレビ電話モードと、遠隔モードとを同時に実行する場合、遠隔モードにおいてテレビ電話モードをコンピュータプログラム（通信制御部３３、カメラ制御部３６）が更に実行する動作として、通信制御部３３は、無線通信又は光通信が行われるように、通信装置２を制御する。通信装置２と、第１接続部４７から取り外された表示装置１０のカメラ部１３のカメラ用通信部１５とは、無線通信又は光通信を行う。カメラ制御部３６は、カメラ１４により撮影された被写体（画像）が上記の送信情報としてワイヤレス（通信装置２とカメラ用通信部１５とが行う無線通信又は光通信）で通信装置２に出力されるようにカメラ用通信部１５を制御する。
遠隔モードにおいて、第１表示制御部３４は、操作部２２がタッチパネル２１に表示されるように、表示装置２０を制御する。第２表示制御部３５は、無線通信又は光通信が行われるように、第１接続部４７から取り外された表示装置１０の表示装置用通信部１７を制御する。第１接続部４７から取り外された表示装置１０の表示装置用通信部１７と、第１筐体４１の表示装置用通信部７とは、無線通信又は光通信を行う。第２表示制御部３５は、上記の受信情報（相手先画像）が表示画面としてワイヤレス（表示装置用通信部１７と表示装置用通信部７とが行う無線通信又は光通信）で表示パネル１１に表示されるように、第１接続部４７から取り外された表示装置１０を制御する。
【００６２】
テレビ電話モードと遠隔モードとを同時に実行しているときに、通信装置２が端末１００（相手先のテレビ電話機）から受信情報（相手先画像）を順次に受信した場合、ワイヤレスで表示パネル１１に表示画面として表示される受信情報（相手先画像）は、ユーザによって動画として認識される。
【００６３】
表示装置１０が第１接続部４７から取り外されたとき、携帯電話機１の表示装置１０以外の構成である携帯電話機本体と、第１接続部４７から取り外された表示装置１０とに分けられる。本発明の第１実施形態に係る携帯電話機１によれば、遠隔モードにおいて、携帯電話機本体を使用しながら、端末１００（相手先のテレビ電話機）からネットワーク２００を介して送信された受信情報（相手先画像）を表示画面として見ることができる。このため、本発明の第１実施形態に係る携帯電話機１によれば、遠隔モードにおいて、ユーザに臨場感を与えることができる。
【００６４】
本発明の第１実施形態に係る携帯電話機１によれば、遠隔モードにおいて、ユーザは、本体取付部５３をスタンドとして携帯電話機１を使うことができる。このため、本発明の第１実施形態に係る携帯電話機１によれば、遠隔モードにおいて、ユーザに臨場感を与えることができ、且つ、より自然な画像で被写体（ユーザを含む）を撮影することができる。
【００６５】
次に、ステップＳ２にて、コンピュータプログラム（第２表示制御部３５）が大画面モードを実行するときの動作について、詳細に説明する。
【００６６】
上述したテレビ電話モードと、大画面モードとを同時に実行する場合、大画面モードにおいてテレビ電話モードをコンピュータプログラム（通信制御部３３、カメラ制御部３６）が更に実行する動作として、カメラ制御部３６は、カメラ１４により撮影された被写体（画像）が上記の送信情報として表示装置用インタフェース１６、表示装置用インタフェース６を介して通信装置２に出力されるようにカメラ用通信部１５を制御する。この場合、ユーザが表示装置１０を持たずにテレビ電話を行えるように、通信制御部３３は、送話部３がユーザの音声を入力したときに、そのユーザの音声が増幅されるように送話部３を制御し、相手先の音声が増幅されて出力されるように受話部４を制御することが好ましい。
【００６７】
上述したテレビ電話モード、上述したＷｅｂモード、上述したテレビモードのいずれか１つのモードと、大画面モードとを同時に実行する場合、大画面モードにおいて、第２表示制御部３５は、第２接続部５１に取り付けられた表示装置１０と表示装置２０とを用いて上記の受信情報（相手先画像、Ｗｅｂページ、テレビジョン映像）が表示画面として表示パネル１１とタッチパネル２１とに表示されるように、第２接続部５１に取り付けられた表示装置１０と表示装置２０とを制御する。この大画面モードにおいて、通常モードで表示パネル１１に表示される表示画面（相手先画像、Ｗｅｂページ、テレビジョン映像）よりも大きい表示画面（相手先画像、Ｗｅｂページ、テレビジョン映像）が、表示パネル１１とタッチパネル２１とに表示される。このとき、第２表示制御部３５は、表示パネル１１とタッチパネル２１とに表示される表示画面（相手先画像、Ｗｅｂページ、テレビジョン映像）の画質が調整されるように、第２接続部５１に取り付けられた表示装置１０と表示装置２０とを制御する。
【００６８】
上述したテレビ電話モードと、大画面モードとを実行しているときに、通信装置２が端末１００（相手先のテレビ電話機）から受信情報（相手先画像）を順次に受信した場合、表示パネル１１とタッチパネル２１とに表示画面として表示される受信情報（相手先画像）は、ユーザによって動画として認識される。
上述したテレビモードと、大画面モードとを実行しているときに、通信装置２が端末１００（テレビ放送局の端末）から受信情報（テレビジョン映像）を順次に受信した場合、表示パネル１１とタッチパネル２１とに表示画面として表示される受信情報（テレビジョン映像）は、ユーザによって動画として認識される。
【００６９】
大画面モードにおいて、第２表示制御部３５は、表示パネル１１とタッチパネル２１とが受信情報（相手先画像、Ｗｅｂページ、テレビジョン映像）を表示しているときに、ユーザがタッチパネル２１に触れた場合、操作部２２がタッチパネル２１に表示されるように、表示装置２０を制御する。この場合、第２表示制御部３５は、第２接続部５１に取り付けられた表示装置１０を用いて受信情報（相手先画像、Ｗｅｂページ、テレビジョン映像）が表示パネル１１に表示されるように、第２接続部５１に取り付けられた表示装置１０を制御する。
大画面モードにおいて、第２表示制御部３５は、操作部２２がタッチパネル２１に表示されてから所定時間が経過するまでにユーザがタッチパネル２１に触れない場合、第２接続部５１に取り付けられた表示装置１０と表示装置２０とを用いて受信情報（相手先画像、Ｗｅｂページ、テレビジョン映像）が表示パネル１１とタッチパネル２１とに表示されるように、第２接続部５１に取り付けられた表示装置１０と表示装置２０とを制御する。
【００７０】
本発明の第１実施形態に係る携帯電話機１によれば、大画面モードにおいて、表示パネル１１とタッチパネル２１とが並べられ、表示画面（相手先画像、Ｗｅｂページ、テレビジョン映像）が表示パネル１１とタッチパネル２１とに表示される。大画面モードにおいて表示パネル１１とタッチパネル２１とに表示される表示画面（相手先画像、Ｗｅｂページ、テレビジョン映像）は、通常モードにおいて表示パネル１１に表示される表示画面（相手先画像、Ｗｅｂページ、テレビジョン映像）よりも大きい。このため、本発明の第１実施形態に係る携帯電話機１によれば、大画面モードにおいて、ユーザに臨場感を与えることができる。
【００７１】
本発明の第１実施形態に係る携帯電話機１によれば、大画面モードにおいて、表示パネル１１とタッチパネル２１とに表示された表示画面（相手先画像、Ｗｅｂページ、テレビジョン映像）を見ることができる上に、表示パネル１１とタッチパネル２１とが表示画面（相手先画像、Ｗｅｂページ、テレビジョン映像）を表示しているときに、ユーザは、タッチパネル２１に触れた場合、表示装置２０に設けられた操作部２２を使用することができる。
【００７２】
本発明の第１実施形態に係る携帯電話機１によれば、大画面モードにおいて、ユーザは、第１筐体４１をスタンドとして携帯電話機１を使うことができる。このため、本発明の第１実施形態に係る携帯電話機１によれば、大画面モードにおいて、ユーザに臨場感を与えることができ、且つ、より自然な画像で被写体（ユーザを含む）を撮影することができる。
【００７３】
（第２実施形態）
本発明の第２実施形態に係る携帯電話機１（ストレート型携帯電話機）は、本発明の第１実施形態に係る携帯電話機１（折り畳み型携帯電話機）と同じ効果である。このため、第２実施形態では、第１実施形態と重複する説明を省略し、第１実施形態と異なる部分のみ説明する。
【００７４】
図１４は、本発明の第２実施形態に係る携帯電話機１における表示装置１０の構成を示すブロック図である。表示装置１０の表示パネル１１は、タッチパネルである。この表示パネル１１には、ユーザが携帯電話機１（制御部９）を操作するための第１操作部２２−１が設けられている。
【００７５】
図１５は、本発明の第２実施形態に係る携帯電話機１における表示装置２０の構成を示すブロック図である。表示装置２０のタッチパネル２１には、操作部２２に代えて、ユーザが携帯電話機１（制御部９）を操作するための第２操作部２２−２が設けられている。
【００７６】
図１６（ａ）は、本発明の第２実施形態に係る携帯電話機１を表す正面図であり、図１６（ｂ）は、図１６（ａ）をＡ方向から見た側面図であり、図１６（ｃ）は、図１６（ａ）をＥ方向から見た側面図である。ここで、第１面は、図１６（ａ）に示され、携帯電話機１の正面を表す。第２面は、携帯電話機１の背面を表す。
【００７７】
携帯電話機１は、筐体６０を更に具備する。筐体６０の部分６１には、第１取付部４６が設けられている。第１取付部４６の第１面には、貫通しない穴が設けられ、その穴には、受話部４が設けられている。図示しないが、第１取付部４６には、通信装置２、表示装置用通信部７が設けられている。図示しないが、部分６１には、表示装置２０が設けられている。部分６１の第１面には、表示装置２０のタッチパネル２１が設けられている。筐体６０の部分６１以外の部分６２の一端部には、送話部３が設けられている。図示しないが、部分６２には、サウンダ５、電池８、制御部９が設けられている。
【００７８】
部分６２には、部分６２の送話部３に接続された辺の中央部から、部分６１に設けられたタッチパネル２１にまで、部分６２の送話部３に接続された辺に対して垂直方向に延びる穴が設けられている。部分６２には、タッチパネル２１の一端部から、部分６２の送話部３に接続された辺に対して垂直方向に延びる突起状の第１接続部４７が２つ設けられている。穴は、タッチパネル２１の一端部と第１接続部４７とによって形成される。表示装置１０は、第１接続部４７から取り外し可能である。表示装置１０の互いに交わらない辺には、第１接続部４７と接合するための溝５５が設けられている。
【００７９】
表示装置１０には、表示装置１０の第１面である表示装置本体５２と、表示装置１０の第２面である本体取付部５３とが設けられている。表示装置本体５３には、表示装置１０の表示パネル１１が設けられている。通常、表示パネル１１に操作部２２−１が表示される。操作部２２−１が表示パネル１１に表示されないときに、タッチパネル２１に第２操作部２２−２が表示される。
図示しないが、表示装置本体５３には、表示装置１０の表示用電池１２、表示装置用通信部１７が設けられている。表示装置１０の溝５５は、表示装置本体５２と本体取付部５３とにより形成され、表示装置１０の溝５５になる部分は、表示装置本体５２に設けられている。表示装置１０の溝５５になる部分には、表示装置１０の表示装置用インタフェース１６が設けられている。
表示装置１０には、表示装置１０のカメラ部１３が設けられている。カメラ部１３は、表示パネル１１とタッチパネル２１との間に設けられている。カメラ部１３には、第２取付部４８が設けられている。第２取付部４８には、カメラ部１３のカメラ１４が設けられている。カメラ１４は、部分６２の送話部３に接続された辺を軸線として、回転可能である。図示しないが、カメラ部１３には、カメラ部１３のカメラ用通信部１５が設けられている。
【００８０】
部分６１の辺には、突起状の第２接続部５１が設けられている。第２接続部５１は、第１取付部４６の一端部から、カメラ部１３の一端部にまで、部分６２の送話部３に接続された辺に対して垂直方向に延びる。図示しないが、第２接続部５１には、表示装置用インタフェース６が設けられている。
【００８１】
表示装置１０が部分６２の第１接続部４７に取り付けられているとき、電池８から供給された電源は、制御部９を介して、表示装置１０の表示パネル１１、表示用電池１２、カメラ部１３、表示装置用インタフェース１６、表示装置用通信部１７に供給される。このとき、表示用電池１２は、電池８から制御部９を介して供給された電源を蓄積する。
表示装置１０が部分６２の第１接続部４７から取り外されたとき（後述する図１７参照）、表示パネル１１、カメラ部１３、表示装置用インタフェース１６、表示装置用通信部１７には、表示用電池１２に蓄積された電源が供給される。このとき、第１接続部４７から取り外された表示装置１０の表示装置用通信部１７と、部分６２の表示装置用通信部７とは、無線通信又は光通信を行う。第１接続部４７から取り外された表示装置１０のカメラ部１３のカメラ用通信部１５と、部分６２の通信装置２とは、無線通信又は光通信を行う。光通信としては、赤外線を利用した通信技術が例示される。
部分６２の第１接続部４７から取り外された表示装置１０が部分６１の第２接続部５１に取り付けられたとき（後述する図１９参照）、電池８から供給される電源は、表示装置用インタフェース６を介して、表示装置用インタフェース１６に供給される。表示装置用インタフェース１６に供給された電源は、表示パネル１１、表示用電池１２、カメラ部１３、表示装置用通信部１７に供給される。このとき、表示用電池１２は、表示装置用インタフェース１６から供給された電源を蓄積する。
【００８２】
ユーザは、表示装置１０を部分６２に取り付ける場合、表示装置１０の溝５５と第１接続部４７とを接合させる。表示装置１０の溝５５と第１接続部４７とを接合させるとき、ユーザは、送話部３からタッチパネル２１に向かう方向に表示装置１０を第１接続部４７に沿ってスライドさせる。図示しないが、第１接続部４７には、第１接続部４７に取り付けられた表示装置１０を固定するためのストッパーが設けられている。
【００８３】
図１７（ａ）は、本発明の第２実施形態に係る携帯電話機１における表示装置１０が取り外された場合の、本発明の第２実施形態に係る携帯電話機１を表す背面図であり、図１７（ｂ）は、図１７（ａ）をＡ方向から見た側面図である。部分６２には、貫通した穴６３が設けられている。表示装置１０が部分６２の第１接続部４７に取り付けられているときに、ユーザがカメラ１４を回転させた場合、カメラ１４のレンズは、貫通した穴６３を介して部分６２の第２面から露出される。
ユーザは、表示装置１０を部分６２（第１接続部４７）から取り外す場合、タッチパネル２１から送話部３に向かう方向に表示装置１０を第１接続部４７に沿ってスライドさせる。このとき、第１接続部４７のストッパーは解除される。部分６２に設けられた表示装置１０が第１接続部４７から取り外された場合、ユーザは、貫通した穴６３を認識することができる。
【００８４】
図１８（ａ）は、本発明の第２実施形態に係る携帯電話機１における表示装置１０を表す正面図であり、図１８（ｂ）、（ｃ）は、図１８（ａ）をＦ方向から見た側面図である。ここで、第１接続部４７から取り外された表示装置１０の第１面は、図１８（ａ）に示される。図１８（ｃ）に示されるように、表示装置１０のカメラ部１３は、表示装置本体５２の一端部と本体取付部５３の一端部とを接続する開閉軸である。カメラ部１３は、表示装置本体５２（本体取付部５３）に対して本体取付部５３（表示装置本体５２）を０度から１８０度まで回転可能にする。カメラ部１３は、表示装置本体５２と本体取付部５３との角度を所定の角度ｙに保持する。カメラ部１３が保持する所定の角度ｙは、０≦ｙ≦１８０により表される。図示しないが、この本体取付部５３には、本体取付部５３を表示装置本体５２に固定するためのストッパーが設けられている。このストッパーは、本体取付部５３をユーザがＣ方向に引っ張ったときに解除される。線Ｌを地面とした場合、ユーザは、表示装置１０を地面に寝かすことなく、表示装置１０を持たずに、表示パネル１１に表示される表示画面を見ることができる。
【００８５】
図１９（ａ）は、本発明の第２実施形態に係る携帯電話機１における表示装置１０が部分６１の第２接続部５１に取り付けられたときの、本発明の第２実施形態に係る携帯電話機１を表す正面図であり、図１９（ｂ）は、図１９（ａ）をＡ方向から見た側面図である。ここで、表示装置１０が第１接続部４７から取り外された部分６２の第１面と、第２接続部５１に表示装置１０が取り付けられた部分６１の第１面とは、図１０（ａ）に示される。
ユーザは、部分６２の第１接続部４７から取り外された表示装置１０を部分６１に取り付ける場合、第１接続部４７から取り外された表示装置１０の溝５５と第２接続部５１とを接合させる。第１接続部４７から取り外された表示装置１０の溝５５と第２接続部５１とを接合させるとき、ユーザは、第１接続部４７から取り外された表示装置１０を第２接続部５１に対して垂直な方向に移動させながら、第１接続部４７から取り外された表示装置１０を押し込む。第１接続部４７から取り外された表示装置１０の溝５５と第２接続部５１とが接合されたとき、表示パネル１１とタッチパネル２１とが同一平面上に並べられ、カメラ部１３と第１取付部４６とが同一平面上に並べられる。図示しないが、第２接続部５１には、第２接続部５１に取り付けられた表示装置１０を固定するためのストッパーが設けられている。第１接続部４７から取り外された表示装置１０が第２接続部５１に取り付けられたとき、部分６１の表示装置用インタフェース６と表示装置用インタフェース１６とが接続される。
ユーザは、第２接続部５１に取り付けられた表示装置１０を部分６１（第２接続部５１）から取り外す場合、第１接続部４７から取り外された表示装置１０を押し込んだときの方向とは逆の方向に移動させながら、第２接続部５１に取り付けられた表示装置１０を引っ張る。このとき、第２接続部５１のストッパーは解除される。
【００８６】
本発明の第２実施形態に係る携帯電話機１の動作について、第１実施形態と異なる部分を説明する。
【００８７】
まず、ステップＳ１にて、コンピュータプログラム（操作制御部３２）が対象動作モードと対象設定モードとを設定するときの動作について、第１実施形態と異なる部分を説明する。
操作制御部３２が通常モードを認識し、且つ、ユーザが表示パネル１１（第１操作部２２−１）を操作してＷｅｂモード、テレビモードに設定しない場合、操作制御部３２は、テーブル３７の電話モード欄と通常モード欄とが対応する欄に“１”を書き込む。
操作制御部３２が通常モードを認識し、且つ、ユーザが表示パネル１１（第１操作部２２−１）を操作してＷｅｂモードとテレビモードとの一方のモードに設定する場合、操作制御部３２は、テーブル３７のＷｅｂモード欄とテレビモード連との一方の動作モード欄と通常モード欄とが対応する欄に“１”を書き込む。
操作制御部３２が大画面モードを認識し、且つ、ユーザがタッチパネル２１（第２操作部２２−２）を操作してＷｅｂモード、テレビモードに設定しない場合、操作制御部３２は、テーブル３７のテレビ電話モード欄と大画面モード欄とが対応する欄に“１”を書き込む。
操作制御部３２が大画面モードを認識し、且つ、ユーザがタッチパネル２１（第２操作部２２−２）を操作してＷｅｂモードとテレビモードとの一方のモードに設定する場合、操作制御部３２は、テーブル３７のＷｅｂモード欄とテレビモード連との一方の動作モード欄と大画面モード欄とが対応する欄に“１”を書き込む。
【００８８】
次に、ステップＳ２にて、コンピュータプログラム（第１表示制御部３４）が通常モードを実行するときの動作について、第１実施形態と異なる部分を説明する。
通常モードにおいて、第１表示制御部３４は、第１操作部２２−１が表示パネル１１に表示されるように、表示装置２０を制御する。
【００８９】
次に、ステップＳ２にて、コンピュータプログラム（第１表示制御部３４、第２表示制御部３５）が遠隔モードを実行するときの動作について、第１実施形態と異なる部分を説明する。
遠隔モードにおいて、第１表示制御部３４は、第２操作部２２−２がタッチパネル２１に表示されるように、表示装置２０を制御する。
【００９０】
表示装置１０が第１接続部４７から取り外されたとき、携帯電話機１の表示装置１０以外の構成である携帯電話機本体と、第１接続部４７から取り外された表示装置１０とに分けられる。本発明の第２実施形態に係る携帯電話機１によれば、遠隔モードにおいて、携帯電話機本体を使用しながら、端末１００（相手先のテレビ電話機）からネットワーク２００を介して送信された受信情報（相手先画像）を表示画面として見ることができる。このため、本発明の第２実施形態に係る携帯電話機１によれば、遠隔モードにおいて、ユーザに臨場感を与えることができる。
【００９１】
本発明の第２実施形態に係る携帯電話機１によれば、遠隔モードにおいて、ユーザは、本体取付部５３をスタンドとして携帯電話機１を使うことができる。このため、本発明の第２実施形態に係る携帯電話機１によれば、遠隔モードにおいて、ユーザに臨場感を与えることができ、且つ、より自然な画像で被写体（ユーザを含む）を撮影することができる。
【００９２】
次に、ステップＳ２にて、コンピュータプログラム（第２表示制御部３５）が大画面モードを実行するときの動作について、第１実施形態と異なる部分を説明する。
大画面モードにおいて、第２表示制御部３５は、表示パネル１１とタッチパネル２１とが受信情報（相手先画像、Ｗｅｂページ、テレビジョン映像）を表示しているときに、ユーザがタッチパネル２１に触れた場合、第２操作部２２−２がタッチパネル２１に表示されるように、表示装置２０を制御する。
大画面モードにおいて、第２表示制御部３５は、第２操作部２２−２がタッチパネル２１に表示されてから所定時間が経過するまでにユーザがタッチパネル２１に触れない場合、第２接続部５１に取り付けられた表示装置１０と表示装置２０とを用いて受信情報（相手先画像、Ｗｅｂページ、テレビジョン映像）が表示パネル１１とタッチパネル２１とに表示されるように、第２接続部５１に取り付けられた表示装置１０と表示装置２０とを制御する。
【００９３】
本発明の第２実施形態に係る携帯電話機１によれば、大画面モードにおいて、表示パネル１１とタッチパネル２１とが並べられ、表示画面（相手先画像、Ｗｅｂページ、テレビジョン映像）が表示パネル１１とタッチパネル２１とに表示される。大画面モードにおいて表示パネル１１とタッチパネル２１とに表示される表示画面（相手先画像、Ｗｅｂページ、テレビジョン映像）は、通常モードにおいて表示パネル１１に表示される表示画面（相手先画像、Ｗｅｂページ、テレビジョン映像）よりも大きい。このため、本発明の第２実施形態に係る携帯電話機１によれば、大画面モードにおいて、ユーザに臨場感を与えることができる。
【００９４】
本発明の第２実施形態に係る携帯電話機１によれば、大画面モードにおいて、表示パネル１１とタッチパネル２１とに表示された表示画面（相手先画像、Ｗｅｂページ、テレビジョン映像）を見ることができる上に、表示パネル１１とタッチパネル２１とが表示画面（相手先画像、Ｗｅｂページ、テレビジョン映像）を表示しているときに、ユーザは、タッチパネル２１に触れた場合、表示装置２０に設けられた操作部２２を使用することができる。
【００９５】
本発明の第２実施形態に係る携帯電話機１によれば、本発明の第１実施形態に係る携帯電話機１（折り畳み型携帯電話機）と同じ効果で、ストレート型携帯電話機を実現できる。
【００９６】
【発明の効果】
本発明の携帯端末（携帯電話機１）によれば、ユーザに臨場感を与えることができる。
本発明の携帯端末（携帯電話機１）によれば、ユーザに臨場感を与えることができ、且つ、より自然な画像で被写体を撮影することができる。
【図面の簡単な説明】
【図１】図１は、本発明の第１実施形態に係る携帯電話機１が適用されるシステムの構成を示すブロック図である。
【図２】図２は、本発明の第１実施形態に係る携帯電話機１の構成を示すブロック図である。
【図３】図３は、本発明の第１実施形態に係る携帯電話機１における表示装置１０の構成を示すブロック図である。
【図４】図４は、本発明の第１実施形態に係る携帯電話機１における表示装置２０の構成を示すブロック図である。
【図５】図５（ａ）は、本発明の第１実施形態に係る携帯電話機１が開かれたときの、本発明の第１実施形態に係る携帯電話機１を表す正面図であり、図５（ｂ）は、図５（ａ）をＡ方向から見た側面図である。
【図６】図６（ａ）は、本発明の第１実施形態に係る携帯電話機１が閉じられたときの、本発明の第１実施形態に係る携帯電話機１を表す背面図であり、図６（ｂ）は、図６（ａ）をＢ方向から見た側面図である。
【図７】図７（ａ）は、本発明の第１実施形態に係る携帯電話機１が閉じられたときに表示装置１０が取り外された場合の、本発明の第１実施形態に係る携帯電話機１を表す背面図であり、図７（ｂ）は、図７（ａ）をＢ方向から見た側面図である。
【図８】図８（ａ）は、本発明の第１実施形態に係る携帯電話機１における表示装置１０を表す背面図であり、図８（ｂ）、（ｃ）は、図８（ａ）をＢ方向から見た側面図である。
【図９】図９（ａ）は、本発明の第１実施形態に係る携帯電話機１における表示装置１０が第１筐体から取り外されたときの、本発明の第１実施形態に係る携帯電話機１を表す正面図であり、図９（ｂ）は、図９（ａ）をＡ方向から見た側面図である。
【図１０】図１０（ａ）は、本発明の第１実施形態に係る携帯電話機１における表示装置１０が第２筐体４２に取り付けられたときの、本発明の第１実施形態に係る携帯電話機１を表す正面図であり、図１０（ｂ）は、図１０（ａ）をＤ方向から見た側面図である。
【図１１】図１１は、本発明の第１実施形態に係る携帯電話機１における制御部９の構成を示すブロック図である。
【図１２】図１２は、本発明の第１実施形態に係る携帯電話機１におけるテーブル３７に格納された情報を示す。
【図１３】図１３は、本発明の第１実施形態に係る携帯電話機１の動作を示すフローチャートである。
【図１４】図１４は、本発明の第２実施形態に係る携帯電話機１における表示装置１０の構成を示すブロック図である。
【図１５】図１５は、本発明の第２実施形態に係る携帯電話機１における表示装置２０の構成を示すブロック図である。
【図１６】図１６（ａ）は、本発明の第２実施形態に係る携帯電話機１を表す正面図であり、図１６（ｂ）は、図１６（ａ）をＡ方向から見た側面図であり、図１６（ｃ）は、図１６（ａ）をＥ方向から見た側面図である。
【図１７】図１７（ａ）は、本発明の第２実施形態に係る携帯電話機１における表示装置１０が取り外された場合の、本発明の第２実施形態に係る携帯電話機１を表す背面図であり、図１７（ｂ）は、図１７（ａ）をＡ方向から見た側面図である。
【図１８】図１８（ａ）は、本発明の第２実施形態に係る携帯電話機１における表示装置１０を表す正面図であり、図１８（ｂ）、（ｃ）は、図１８（ａ）をＦ方向から見た側面図である。
【図１９】図１９（ａ）は、本発明の第２実施形態に係る携帯電話機１における表示装置１０が部分６１の第２接続部５１に取り付けられたときの、本発明の第２実施形態に係る携帯電話機１を表す正面図であり、図１９（ｂ）は、図１９（ａ）をＡ方向から見た側面図である。
【符号の説明】
１    携帯電話機
２    通信装置
３    送話部
４    受話部
５    サウンダ
６    表示装置用インタフェース
７    表示装置用通信部
８    電池
９    制御部
１０    表示装置
１１    表示パネル
１２    表示用電池
１３    カメラ部
１４    カメラ
１５    カメラ用通信部
１６    表示装置用インタフェース
１７    表示装置用通信部
２０    表示装置
２１    タッチパネル
２２    操作部
２２−１、２２−２    操作部
３０    ＣＰＵ
３１    メモリ
３２    操作制御部
３３    通信制御部
３４    第１表示制御部
３５    第２表示制御部
３６    カメラ制御部
３７    テーブル
４１    第１筐体
４２    第２筐体
４３    開閉軸
４４    第１回転軸
４５    第２回転軸
４６    第１取付部
４７    第１接続部
４８    第２取付部
４９    第３取付部
５０    第４取付部
５１    第２接続部
５２    表示装置本体
５３    本体取付部
５４    貫通した穴
５５    溝
６０    筐体
６１、６２    部分
６３    貫通した穴
１００    端末
２００    ネットワーク
【図１】
2004274276.tif 000003
【図２】
2004274276.tif 000004
【図３】
2004274276.tif 000005
【図４】
2004274276.tif 000006
【図５】
2004274276.tif 000007
【図６】
2004274276.tif 000008
【図７】
2004274276.tif 000009
【図８】
2004274276.tif 000010
【図９】
2004274276.tif 000011
【図１０】
2004274276.tif 000012
【図１１】
2004274276.tif 000013
【図１２】
2004274276.tif 000014
【図１３】
2004274276.tif 000015
【図１４】
2004274276.tif 000016
【図１５】
2004274276.tif 000017
【図１６】
2004274276.tif 000018
【図１７】
2004274276.tif 000019
【図１８】
2004274276.tif 000020
【図１９】
2004274276.tif 000021